(57)【特許請求の範囲】
【請求項１】
無線基地局と通信する移動局であって、
前記無線基地局から、間欠受信状態用パラメータ及び非間欠受信状態用パラメータを取得するように構成されているパラメータ取得部と、
前記移動局におけるサービングセルの無線品質に基づいて、下りリンクの同期状態を判定するように構成されている同期状態判定部と、
前記判定結果に基づいて、無線リンク失敗状態であるか否かについて判定するように構成されている無線リンク失敗状態判定部と、
前記無線リンク失敗状態判定部によって、前記無線リンク失敗状態であると判定された場合、前記無線基地局との接続を再構築するように構成されている接続再構築部とを具備し、
前記移動局が、間欠受信状態である場合に、前記無線リンク失敗状態判定部は、前記同期状態判定部によって判定された下りリンクの同期状態、及び、前記パラメータ取得部によって取得された前記間欠受信状態用パラメータに基づいて、前記無線リンク失敗状態であるか否かについて判定するように構成されており、
前記移動局が、間欠受信状態でない場合に、前記無線リンク失敗状態判定部は、前記同期状態判定部によって判定された下りリンクの同期状態、及び、前記パラメータ取得部によって取得された前記非間欠受信状態用パラメータに基づいて、前記無線リンク失敗状態であるか否かについて判定するように構成されていることを特徴とする移動局。
【請求項２】
前記無線リンク失敗状態判定部は、前記下りリンクの同期状態が非同期状態である状態が第１所定期間以上連続する場合に、タイマーを起動し、該タイマーが満了した時点で、前記無線リンク失敗状態であると判定するように構成されており、
前記間欠受信状態用パラメータ及び前記非間欠受信状態用パラメータには、前記第１所定期間を規定する第１パラメータ及び前記タイマーを規定する第２パラメータの少なくとも１つが含まれていることを特徴とする請求項１に記載の移動局。
【請求項３】
前記無線リンク失敗状態判定部は、前記タイマーが起動されている状態において、前記下りリンクの同期状態が同期状態である状態が第２所定期間以上連続する場合に、前記タイマーを停止するように構成されており、
前記間欠受信状態用パラメータ及び前記非間欠受信状態用パラメータには、前記第２所定期間を規定する第３パラメータが含まれていることを特徴とする請求項２に記載の移動局。
【請求項４】
移動局と通信する無線基地局であって、
前記移動局に対して、間欠受信状態用パラメータ及び非間欠受信状態用パラメータを通知するように構成されているパラメータ通知部を具備し、
間欠受信状態である前記移動局において、前記間欠受信状態用パラメータと下りリンクの同期状態とに基づいて無線リンク失敗状態であるか否かについて判定されるように構成されており、
非間欠受信状態である前記移動局において、前記非間欠受信状態用パラメータと下りリンクの同期状態とに基づいて無線リンク失敗状態であるか否かについて判定されるように構成されていることを特徴とする無線基地局。
【請求項５】
前記移動局において、前記下りリンクの同期状態が非同期状態である状態が第１所定期間以上連続する場合に、タイマーが起動され、該タイマーが満了した時点で、前記無線リンク失敗状態であると判定されるように構成されており、
前記間欠受信状態用パラメータ及び前記非間欠受信状態用パラメータには、前記第１所定期間を規定する第１パラメータ及び前記タイマーを規定する第２パラメータの少なくとも１つが含まれていることを特徴とする請求項４に記載の無線基地局。
【請求項６】
前記移動局において、前記タイマーが起動されている状態において、前記下りリンクの同期状態が同期状態である状態が第２所定期間以上連続する場合に、前記タイマーが停止されるように構成されており、
前記間欠受信状態用パラメータ及び前記非間欠受信状態用パラメータには、前記第２所定期間を規定する第３パラメータが含まれていることを特徴とする請求項５に記載の無線基地局。
【請求項７】
無線基地局と移動局との間で通信する移動通信方法であって、
前記無線基地局が、前記移動局に対して、間欠受信状態用パラメータ及び非間欠受信状態用パラメータを通知する工程Ａと、
前記移動局が、該移動局におけるサービングセルの無線品質に基づき、下りリンクの同期状態を判定する工程Ｂと、
前記移動局が、前記下りリンクの同期状態と、前記間欠受信状態用パラメータと、前記非間欠受信状態用パラメータとに基づいて、無線リンク失敗状態であるか否かについて判定する工程Ｃと、
前記移動局が、前記無線リンク失敗状態であると判定された場合、前記無線基地局との接続を再構築する工程Ｄとを有し、
前記工程Ｃにおいて、前記移動局が、間欠受信状態である場合に、前記下りリンクの同期状態、及び、取得された前記間欠受信状態用パラメータに基づいて、前記無線リンク失敗状態であるか否かについて判定し、
前記工程Ｃにおいて、前記移動局が、間欠受信状態でない場合に、前記下りリンクの同期状態、及び、取得された前記非間欠受信状態用パラメータに基づいて、前記無線リンク失敗状態であるか否かについて判定することを特徴とする移動通信方法。
【発明の詳細な説明】
【技術分野】
【０００１】
本発明は、移動局、無線基地局及び移動通信方法に関する。
【背景技術】
【０００２】
一般に、移動通信システムでは、無線基地局と移動局との間の同期状態が監視されるように構成されている。例えば、ＷＣＤＭＡ方式の移動通信システムにおいては、物理レイヤにおける下りリンクの同期状態を判定するために、以下の２つの指標が定義されている。【０００３】
・  個別物理制御チャネルにおける受信品質（ＤＰＣＣＨ（Ｄｅｄｉｃａｔｅｄ  Ｐｈｙｓｉｃａｌ  Ｃｏｎｔｒｏｌ  Ｃｈａｎｎｅｌ）  ｑｕａｌｉｔｙ）
・  巡回冗長検査（ＣＲＣ（Ｃｙｃｌｉｃ  Ｒｅｄｕｎｄａｎｃｙ  Ｃｈｅｃｋ）  ｃｈｅｃｋ）結果
ここで、ＤＰＣＣＨ  ｑｕａｌｉｔｙは、パイロットシンボル（Ｐｉｌｏｔ  ｓｙｍｂｏｌｓ）や送信電力制御（ＴＰＣ：  ｔｒａｎｓｍｉｓｓｉｏｎ  ｐｏｗｅｒ  ｃｏｎｔｒｏｌ）ビットの受信品質、例えば、ＳＩＲ（ｓｉｇｎａｌ-ｔｏ-ｉｎｔｅｒｆｅｒｅｎｃｅ  ｐｏｗｅｒ  ｒａｔｉｏ）や受信レベルに相当し、ＣＲＣ  ｃｈｅｃｋ結果は、ブロックエラーレート（Ｂｌｏｃｋ  ｅｒｒｏｒ  ｒａｔｅ）に相当する。【０００４】
上述の物理レイヤにおける下りリンクの同期状態の判定のための判定区間は、例えば、１６０ｍｓである。また、後述するように、ＲＲＣレイヤにおける無線リンク失敗（ＲＬＦ：Ｒａｄｉｏ  Ｌｉｎｋ  Ｆａｉｌｕｒｅ）状態であるか否かについての判定は、１０ｍｓ毎の下りリンクの同期状態の判定結果に基づいて行われる。【０００５】
すなわち、ＷＣＤＭＡ方式の移動通信システムにおいては、上述の物理レイヤから報告される下りリンクの同期状態に基づくＲＲＣレイヤにおける無線リンク失敗であるか否かについての判定及び無線リンク失敗状態である場合の移動局ＵＥの動作が定義されている。【０００６】
図１４を参照して、上述したＲＲＣレイヤにおける無線リンク失敗状態であるか否かについての判定及び無線リンク失敗状態における移動局ＵＥの動作について説明する。【０００７】
ステップＳ１０２において、移動局ＵＥは、物理レイヤより連続してＮ３１３回の「Ｏｕｔ-ｏｆ-ｓｙｎｃ」、すなわち、「同期状態：ＮＧ」の報告を受信した場合（Ｓ１０２：ＹＥＳ）、タイマーＴ３１３を起動する（Ｓ１０４）。なお、ステップＳ１０２及びＳ１０４は、タイマーＴ３１３が起動していない場合にのみ行われてもよい。【０００８】
一方、ステップＳ１０６において、移動局ＵＥは、物理レイヤより連続してＮ３１５回の「Ｉｎ-ｓｙｎｃ」、すなわち、「同期状態：ＯＫ」の報告を受信した場合（Ｓ１０６：ＹＥＳ）、タイマーＴ３１３を停止する（Ｓ１０８）。なお、ステップＳ１０６及びＳ１０８は、タイマーＴ３１３が起動している場合にのみ行われてもよい。【０００９】
そして、Ｔ３１３が満了した場合（ステップＳ１１０：ＹＥＳ）、本動作は、ステップＳ１１２に進む。なお、Ｔ３１３が満了しない場合（ステップＳ１１０：ＮＯ）、本動作は、ステップＳ１０２に戻る。なお、ステップＳ１１０は、Ｔ３１３が起動している場合及びＴ３１３が起動していない場合の両方で行われてもよい。【００１０】
ステップＳ１０２乃至Ｓ１１０の処理は、無線基地局ｅＮＢ及び移動局ＵＥが接続状態である間、常に行われてよい。或いは、ステップＳ１０２乃至Ｓ１１０の処理は、無線基地局ｅＮＢ及び移動局ＵＥが接続状態である間で、かつ、１０ｍｓ毎に行われてもよい。ここで、１０ｍｓとは、１無線フレーム（Ｒａｄｉｏ  Ｆｒａｍｅ）のことを指す。また、接続状態とは、ＲＲＣ_Ｃｏｎｎｅｃｔｅｄ状態のことであってもよい。【００１１】
ステップＳ１１２において、移動局ＵＥは、無線基地局ｅＮＢと移動局ＵＥとの間の通信状態が無線リンク失敗状態であると看做す。【００１２】
無線リンク失敗状態とは、ＲＬＦ（Ｒａｄｉｏ  Ｌｉｎｋ  Ｆａｉｌｕｒｅ）状態と呼ばれてもよく、無線基地局ｅＮＢと移動局ＵＥとの間の通信品質が著しく劣化し、通信不可能である状態のことを指す。【００１３】
ステップＳ１１４において、移動局ＵＥは、無線基地局ｅＮＢとの間の通信の設定（Ｃｏｎｆｉｇｕｒａｔｉｏｎ）をクリアする。【００１４】
ステップＳ１１６において、移動局ＵＥは、再接続の処理を行う。ここで、再接続の処理は、「Ｃｅｌl  Ｕｐｄａｔｅ処理」と呼ばれてもよい。なお、移動局ＵＥは、進行中の処理が存在しない場合や、或いは、進行中の処理の中で、無線リンク失敗状態時の動作が規定されていない場合に、上述の再接続の処理を行ってもよい。【００１５】
かかる場合、移動局ＵＥは、進行中の処理が存在し、かつ、進行中の処理の中で、無線リンク失敗状態時の動作が規定されている場合に、前記進行中の処理の中の無線リンク失敗状態時の動作を行う。【００１６】
ここで、上述したＴ３１３やＴ３１５やＮ３１３といったパラメータは、ヒステリシスや保護段数に相当するパラメータであり、精度良く、かつ、適切なタイミングで、無線リンク失敗状態を判定するためのパラメータである。【００１７】
ところで、移動通信システムにおいては、移動局ＵＥにおける消費電力の低減のため、すなわち、バッテリーセービングのために、間欠受信（ＤＲＸ：Ｄｉｓｃｏｎｔｉｎｕｏｕｓ  Ｒｅｃｅｐｔｉｏｎ）制御が適用される。【００１８】
例えば、ＷＣＤＭＡ方式の後継となる通信方式であるＬＴＥ（Ｌｏｎｇ  Ｔｅｒｍ  Ｅｖｏｌｕｔｉｏｎ）方式の移動通信システムにおける間欠受信制御は、無線基地局ｅＮＢと移動局ＵＥとが接続中であり、かつ、通信すべきデータが存在しない場合に適用され、間欠受信状態にある移動局ＵＥは、周期的に、すなわち、間欠的に、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を介して送信される下り制御信号を受信するように構成されている。【００１９】
かかる場合、移動局ＵＥは、全てのタイミングではなく、間欠的に、物理下りリンク制御チャネルＰＤＣＣＨを介して送信される下り制御信号を受信すればよいため、バッテリーの消費電力を低減することが可能となる。【００２０】
より具体的には、移動局ＵＥは、図１５に示すように、ＤＲＸ周期（図１５の例では、１２８０ｍｓ）毎に設定される受信区間（図１５の例では、５ｍｓ）においてのみ、物理下りリンク制御チャネルＰＤＣＣＨを介して送信される下り制御信号を受信し、それ以外の送受信機をＯＦＦとするように構成されている。その結果、移動局ＵＥにおいて、バッテリーの消費電力を低減することが可能となる。前記受信区間は、Ｏｎ‐ｄｕｒａｔｉｏｎと呼ばれてもよい。
【発明の概要】
【発明が解決しようとする課題】
【００２１】
上述したように、ＲＲＣレイヤにおける無線リンク失敗状態についての判定においては、ヒステリシスや保護段数に相当するパラメータにより、精度良く、かつ、適切なタイミングで判定が行われている。【００２２】
一方、上述したように、移動通信システムにおいては、無線基地局ｅＮＢと移動局ＵＥとが接続中である場合に、間欠受信制御が適用される。すなわち、各移動局ＵＥの状態として、通信すべきデータの有無に応じて、間欠受信状態及び非間欠受信状態の２種類の状態が存在する。【００２３】
ここで、間欠受信状態である移動局ＵＥは、間欠受信制御によるバッテリーセービング効果を維持するため、一般に、間欠受信制御における受信区間においてのみ、上述した下りリンクの同期状態の判定を行うように構成されている。【００２４】
これは、非間欠受信状態においては、物理レイヤからＲＲＣレイヤに対して、高頻度に、例えば、１０ｍｓ毎に下りリンクの同期状態が通知されるのに対し、間欠受信状態においては、間欠受信制御における受信区間においてのみ、下りリンクの同期状態が通知されることを意味する。【００２５】
この場合、結果として、間欠受信状態及び非間欠受信状態の両方において最適なヒステリシスや保護段数に相当するパラメータを設定することができないという問題が存在する。【００２６】
そこで、本発明は、上述の課題に鑑みてなされたものであり、間欠受信状態及び非間欠受信状態の両方において、無線リンク失敗状態を適切に判定することを可能とする移動局、無線基地局及び移動通信方法を提供することを目的とする。
【課題を解決するための手段】
【００２７】
本発明の第１の特徴は、無線基地局と通信する移動局であって、前記無線基地局から、間欠受信状態用パラメータ及び非間欠受信状態用パラメータを取得するように構成されているパラメータ取得部と、前記移動局におけるサービングセルの無線品質に基づいて、下りリンクの同期状態を判定するように構成されている同期状態判定部と、前記判定結果に基づいて、無線リンク失敗状態であるか否かについて判定するように構成されている無線リンク失敗状態判定部と、前記無線リンク失敗状態判定部によって、前記無線リンク失敗状態であると判定された場合、前記無線基地局との接続を再構築するように構成されている接続再構築部とを具備し、前記移動局が、間欠受信状態である場合に、前記無線リンク失敗状態判定部は、前記同期状態判定部によって判定された下りリンクの同期状態、及び、前記パラメータ取得部によって取得された前記間欠受信状態用パラメータに基づいて、前記無線リンク失敗状態であるか否かについて判定するように構成されており、前記移動局が、間欠受信状態でない場合に、前記無線リンク失敗状態判定部は、前記同期状態判定部によって判定された下りリンクの同期状態、及び、前記パラメータ取得部によって取得された前記非間欠受信状態用パラメータに基づいて、前記無線リンク失敗状態であるか否かについて判定するように構成されていることを要旨とする。【００２８】
本発明の第１の特徴において、前記無線リンク失敗状態判定部は、前記下りリンクの同期状態が非同期状態である状態が第１所定期間以上連続する場合に、タイマーを起動し、該タイマーが満了した時点で、前記無線リンク失敗状態であると判定するように構成されており、前記間欠受信状態用パラメータ及び前記非間欠受信状態用パラメータには、前記第１所定期間を規定する第１パラメータ及び前記タイマーを規定する第２パラメータの少なくとも１つが含まれていてもよい。【００２９】
本発明の第１の特徴において、前記無線リンク失敗状態判定部は、前記タイマーが起動されている状態において、前記下りリンクの同期状態が同期状態である状態が第２所定期間以上連続する場合に、前記タイマーを停止するように構成されており、前記間欠受信状態用パラメータ及び前記非間欠受信状態用パラメータには、前記第２所定期間を規定する第３パラメータが含まれていてもよい。【００３０】
本発明の第２の特徴は、移動局と通信する無線基地局であって、前記移動局に対して、間欠受信状態用パラメータ及び非間欠受信状態用パラメータを通知するように構成されているパラメータ通知部を具備し、間欠受信状態である前記移動局において、前記間欠受信状態用パラメータと下りリンクの同期状態とに基づいて無線リンク失敗状態であるか否かについて判定されるように構成されており、非間欠受信状態である前記移動局において、前記非間欠受信状態用パラメータと下りリンクの同期状態とに基づいて無線リンク失敗状態であるか否かについて判定されるように構成されていることを要旨とする。【００３１】
本発明の第２の特徴において、前記移動局において、前記下りリンクの同期状態が非同期状態である状態が第１所定期間以上連続する場合に、タイマーが起動され、該タイマーが満了した時点で、前記無線リンク失敗状態であると判定されるように構成されており、前記間欠受信状態用パラメータ及び前記非間欠受信状態用パラメータには、前記第１所定期間を規定する第１パラメータ及び前記タイマーを規定する第２パラメータの少なくとも１つが含まれていてもよい。【００３２】
本発明の第２の特徴において、前記移動局において、前記タイマーが起動されている状態において、前記下りリンクの同期状態が同期状態である状態が第２所定期間以上連続する場合に、前記タイマーが停止されるように構成されており、
前記間欠受信状態用パラメータ及び前記非間欠受信状態用パラメータには、前記第２所定期間を規定する第３パラメータが含まれていてもよい。【００３３】
本発明の第２の特徴は、無線基地局と移動局との間で通信する移動通信方法であって、前記無線基地局が、前記移動局に対して、間欠受信状態用パラメータ及び非間欠受信状態用パラメータを通知する工程Ａと、前記移動局が、該移動局におけるサービングセルの無線品質に基づき、下りリンクの同期状態を判定する工程Ｂと、前記移動局が、前記下りリンクの同期状態と、前記間欠受信状態用パラメータと、前記非間欠受信状態用パラメータとに基づいて、無線リンク失敗状態であるか否かについて判定する工程Ｃと、前記移動局が、前記無線リンク失敗状態であると判定された場合、前記無線基地局との接続を再構築する工程Ｄとを有し、前記工程Ｃにおいて、前記移動局が、間欠受信状態である場合に、前記下りリンクの同期状態、及び、取得された前記間欠受信状態用パラメータに基づいて、前記無線リンク失敗状態であるか否かについて判定し、前記工程Ｃにおいて、前記移動局が、間欠受信状態でない場合に、前記下りリンクの同期状態、及び、取得された前記非間欠受信状態用パラメータに基づいて、前記無線リンク失敗状態であるか否かについて判定することを要旨とする。
【発明の効果】
【００３４】
以上説明したように、本発明によれば、間欠受信状態及び非間欠受信状態の両方において、無線リンク失敗状態を適切に判定することを可能とする移動局、無線基地局及び移動通信方法を提供することができる。
【図面の簡単な説明】
【００３５】
【図１】図１は、本発明の第１の実施形態に係る移動通信システムの全体構成図である。
【図２】図２は、本発明の第１の実施形態に係る移動局の機能ブロック図である。
【図３】図３は、本発明の第１の実施形態に係る移動局の同期状態判定部による同期状態の判定の様子について説明するための図である。
【図４】図４は、本発明の第１の実施形態に係る移動局の無線リンク失敗状態判定部による無線リンク失敗の判定の様子について説明するための図である。
【図５】図５は、本発明の第１の実施形態に係る移動局の無線リンク失敗状態判定部による無線リンク失敗の判定の様子について説明するための図である。
【図６】図６は、本発明の第１の実施形態に係る移動局の無線リンク失敗状態判定部による無線リンク失敗の判定の様子について説明するための図である。
【図７】図７は、本発明の第１の実施形態に係る移動局において用いられる間欠受信用パラメータ及び非間欠受信用パラメータの一例を示す図である。
【図８】図８は、本発明の第１の実施形態に係る無線基地局の機能ブロック図である。
【図９】図９は、本発明の第１の実施形態に係る移動局の動作を示すフローチャートである。
【図１０】図１０は、本発明の変更例１に係る移動局の無線リンク失敗状態判定部による無線リンク失敗の判定の様子について説明するための図である。
【図１１】図１１は、本発明の変更例１に係る移動局の無線リンク失敗状態判定部による無線リンク失敗の判定の様子について説明するための図である。
【図１２】図１２は、本発明の変更例２に係る移動局の無線リンク失敗状態判定部による無線リンク失敗の判定の様子について説明するための図である。
【図１３】図１３は、本発明の変更例２に係る移動局の無線リンク失敗状態判定部による無線リンク失敗の判定の様子について説明するための図である。
【図１４】図１４は、一般的な移動局の動作を示すフローチャートである。
【図１５】図１５は、一般的な移動局における間欠受信について説明するための図である。
【発明を実施するための形態】
【００３６】
（本発明の第１の実施形態に係る移動通信システムの構成）
図１乃至図７を参照して、本発明の第１の実施形態に係る移動通信システムの構成について説明する。
【００３７】
図１に示すように、本実施形態に係る移動通信システムは、ＬＴＥ方式の移動通信システムである。かかる移動通信システムでは、無線アクセス方式として、下りリンクについては「ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式」が適用され、上りリンクについては「ＳＣ-ＦＤＭＡ（Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式」が適用されることが検討されている。
【００３８】
ＯＦＤＭ方式は、特定の周波数帯域を複数の狭い周波数帯域（サブキャリア）に分割し、各周波数帯域上にデータを載せて伝送を行う方式である。かかるＯＦＤＭ方式によれば、サブキャリアを周波数軸上で一部重なりあいながらも互いに干渉することなく密に並べることで、高速伝送を実現し、周波数の利用効率を上げることができる。
【００３９】
また、ＳＣ-ＦＤＭＡ方式は、特定の周波数帯域を分割し、複数の移動局ＵＥの間で異なる周波数帯域を用いて伝送することで、複数の移動局ＵＥの間における干渉を低減することができる伝送方式である。ＳＣ-ＦＤＭＡ方式によれば、送信電力の変動が小さくなる特徴を有することから、移動局ＵＥの低消費電力化及び広いカバレッジを実現することができる。
【００４０】
また、本実施形態に係る移動通信システムでは、無線基地局ｅＮＢが、物理下り制御チャネルＰＤＣＣＨを介して下り制御信号を送信し、物理下り共有データチャネルＰＤＳＣＨ（Ｐｈｙｓｉｃａｌ  Ｄｏｗｎｌｉｎｋ  Ｓｈａｒｅｄ  Ｃｈａｎｎｅｌ）を介して下りデータ信号を送信するように構成されている。
【００４１】
一方、本実施形態に係る移動通信システムでは、移動局ＵＥは、物理上り共有データチャネルＰＵＳＣＨ（Ｐｈｙｓｉｃａｌ  Ｕｐｌｉｎｋ  Ｓｈａｒｅｄ  Ｃｈａｎｎｅｌ）を介して上りデータ信号を送信するように構成されている。
【００４２】
図２に示すように、移動局ＵＥは、状態管理部１１と、パラメータ取得部１２と、同期状態判定部１３と、無線リンク失敗状態判定部１４と、再接続処理部１５とを具備している。
【００４３】
状態管理部１１は、移動局ＵＥが間欠受信状態であるか否かについて管理するように構成されている。状態管理部１１は、同期状態判定部１３と無線リンク失敗状態判定部１４とに対して、移動局ＵＥが間欠受信状態であるか否か、すなわち、間欠受信状態であるか又は非間欠受信状態であるかについて通知する。
【００４４】
なお、移動局ＵＥが非間欠受信状態であるとは、すなわち、移動局ＵＥがＡｃｔｉｖｅ状態であるという意味であってよい。例えば、Ａｃｔｉｖｅ状態は、３ＧＰＰ  ＴＳ３６.３２１，Ｖ８.２.０，５.７章に定義されている。また、この場合、Ａｃｔｉｖｅ状態でない状態が、間欠受信状態に相当する。
【００４５】
ここで、以下に、Ａｃｔｉｖｅ状態の定義を示す。
【００４６】
例えば、Ａｃｔｉｖｅ状態は、間欠受信制御におけるＯＮ区間や、ＤＲＸ  Ｉｎａｃｔｉｖｉｔｙ  Ｔｉｍｅｒが起動している時間、ＤＲＸ  Ｒｅｔｒａｎｓｍｉｓｓｉｏｎ  Ｔｉｍｅｒ、Ｃｏｎｔｅｎｔｉｏｎ  Ｒｅｓｏｌｕｔｉｏｎ  Ｔｉｍｅｒが起動している時間を含んでよい。
【００４７】
また、Ａｃｔｉｖｅ状態は、スケジューリングリクエストがペンディング（Ｐｅｎｄｉｎｇ）している時間を含んでよい。或いは、上記Ａｃｔｉｖｅ状態は、再送のための上りリンクスケジューリンググラントが発生した場合、或いは、ランダムアクセス応答の受信に成功してから、まだ一度も自分宛のＲＮＴＩ又は仮のＲＮＴＩを有する新規送信を指示するＰＤＣＣＨを受信していない時間を含んでよい。
【００４８】
ここで、「ＤＲＸ  Ｒｅｔｒａｎｓｍｉｓｓｉｏｎ  Ｔｉｍｅｒ」とは、新規送信のパケットデータを受信してから起動されるＨＡＲＱ  ＲＴＴ  Ｔｉｍｅｒが満了してから起動されるタイマーであり、該パケットデータが再送される時間区間を定義するタイマーである。
【００４９】
また、「Ｃｏｎｔｅｎｔｉｏｎ  Ｒｅｓｏｌｕｔｉｏｎ  Ｔｉｍｅｒ」とは、ランダムアクセス手順において、Ｍｅｓｓａｇｅ  ３を送信したタイミングから起動されるタイマーであり、Ｍｅｓｓａｇｅ  ４によるＣｏｎｔｅｎｔｉｏｎ  Ｒｅｓｏｌｕｔｉｏｎが行われる時間区間を定義するタイマーである。
【００５０】
また、「スケジューリングリクエストがペンディング（Ｐｅｎｄｉｎｇ）している」とは、上りリンクにおいてスケジューリングリクエストが送信されてから、実際に上りリンクのグラント（上りリンクスケジューリンググラント）が下りリンクにおいて通知されるまでの状態を示す。
【００５１】
尚、Ａｃｔｉｖｅ状態の定義は、上述した時間の全てであってもよいし、その一部であってもよい。例えば、Ａｃｔｉｖｅ状態とは、ＤＲＸ  Ｉｎａｃｔｉｖｉｔｙ  Ｔｉｍｅｒが起動している時間のみを指してもよい。
【００５２】
パラメータ取得部１２は、無線基地局ｅＮＢから、間欠受信状態用パラメータ及び非間欠受信状態用パラメータを取得するように構成されている。パラメータ取得部１２は、かかる間欠受信状態用パラメータ及び非間欠受信状態用パラメータを、無線リンク失敗状態判定部１４に通知する。
【００５３】
なお、間欠受信状態用パラメータ及び非間欠受信状態用パラメータは、報知情報の一部として通知されてもよいし、セル内の各移動局ＵＥに対して個別に通知されるＲＲＣ  Ｓｉｇｎａｌｉｎｇ内の情報の一部として通知されてもよい。
【００５４】
同期状態判定部１３は、移動局ＵＥにおけるサービングセルの無線品質を測定し、かかる無線品質に基づいて、下りリンクの同期状態を判定するように構成されている。ここで、移動局ＵＥにおけるサービングセルの無線品質とは、無線基地局ｅＮＢと移動局ＵＥとの間の無線リンクの品質である。
【００５５】
例えば、同期状態判定部１３は、移動局ＵＥにおけるサービングセルの無線品質として、移動局ＵＥのサービングセルからの信号（例えば、参照信号（ＲＳ：Ｒｅｆｅｒｅｎｃｅ  Ｓｉｇｎａｌ）等）のＳＩＲを測定し、かかるＳＩＲに基づいて、下りリンクの同期状態を判定してもよい。
【００５６】
より具体的には、同期状態判定部１３は、かかるＳＩＲが所定閾値よりも大きい場合に、下りリンクの同期状態がＯＫである、すなわち、Ｉｎ-ｓｙｎｃであると判定し、かかるＳＩＲが所定閾値以下の場合に、下りリンクの同期状態がＮＧである、すなわち、Ｏｕｔ-ｏｆ-ｓｙｎｃであると判定してもよい。
【００５７】
或いは、同期状態判定部１３は、図３に示すように、Ｑｏｕｔ及びＱｉｎの２つの閾値を設定し、上述のＳＩＲとＱｏｕｔとＱｉｎとに基づいて、下りリンクの同期状態を判定してもよい。
【００５８】
ここで、Ｑｏｕｔ＜Ｑｉｎであり、ＱｉｎとＱｏｕｔと差、すなわち、「Ｑｉｎ−Ｑｏｕｔ」がヒステリシスに相当する。すなわち、図３の例においては、同期状態判定部１３は、Ｔ＜Ａにおいては、ＳＩＲがＱｏｕｔよりも大きいため、Ｉｎ−ｓｙｎｃであると判定し、時刻Ｔ＝Ａにおいて、ＳＩＲがＱｏｕｔ以下となったことに基づき、Ｏｕｔ-ｏｆ-ｓｙｎｃであると判定する。
【００５９】
そして、同期状態判定部１３は、時刻Ｔ＝Ｂにおいて、ＳＩＲがＱｉｎより大きくなったことに基づき、Ｉｎ-ｓｙｎｃであると判定し、その後、時刻Ｔ＝Ｃにおいて、ＳＩＲがＱｏｕｔ以下となったことに基づき、Ｏｕｔ-ｏｆ-ｓｙｎｃであると判定する。
【００６０】
このように、２つの閾値を設定することにより、すなわち、「Ｑｉｎ−Ｑｏｕｔ」というヒステリシスを設定することにより、Ｉｎ-ｓｙｎｃとＯｕｔ-ｏｆ-ｓｙｎｃとの判定におけるばたつきを低減することが可能となる。
【００６１】
尚、上述した例において、ＱｉｎとＱｏｕｔの間の領域においては、Ｉｎ−ｓｙｎｃともＯｕｔ−ｏｆ−ｓｙｎｃとも報告しないというように動作してもよい。
【００６２】
なお、同期状態判定部１３は、上述のＳＩＲの値として、瞬時のＳＩＲを所定平均化区間で平均化した値を用いてもよい。ここで、所定平均化区間としては、例えば、１６０ｍｓであってもよいし、２００ｍｓであってもよいし、２０ｍｓであってもよいし、それ以外の値であってもよい。
【００６３】
また、前記ＳＩＲの値は、周波数方向に関して、システム帯域全体で平均した値であってもよいし、システム帯域内の一部の帯域で平均した値であってもよい。前記システム帯域内の一部の帯域とは、例えば、システム帯域の中心に位置する、所定の帯域幅を有する帯域であってもよい。あるいは、前記システム帯域内の一部の帯域とは、例えば、同期信号または物理報知チャネルが送信される帯域であってもよい。
【００６４】
或いは、同期状態判定部１３は、移動局ＵＥが非間欠受信状態である場合には、１６０ｍｓの平均化区間で平均化したＳＩＲを用いて、下りリンクの同期状態を判定し、移動局ＵＥが間欠受信状態である場合には、間欠受信制御のＯｎ−ｄｕｒａｔｉｏｎにおけるＳＩＲを用いて、下りリンクの同期状態を判定してもよい。
【００６５】
なお、前記間欠受信制御のＯｎ-ｄｕｒａｔｉｏｎにおけるＳＩＲは、Ｏｎ-ｄｕｒａｔｉｏｎにおける瞬時のＳＩＲであってもよいし、Ｏｎ-ｄｕｒａｔｉｏｎにおける平均のＳＩＲであってもよいし、複数のＯｎ-ｄｕｒａｔｉｏｎにおけるＳＩＲを平均化した値であってもよい。
【００６６】
同期状態判定部１３は、上述した下りリンクの同期状態の判定結果（Ｉｎ-ｓｙｎｃ／Ｏｕｔ-ｏｆ-ｓｙｎｃ）を無線リンク失敗状態判定部１４に通知する。
【００６７】
なお、同期状態判定部１３は、上述の下りリンクの同期状態の判定結果（Ｉｎ-ｓｙｎｃ／Ｏｕｔ-ｏｆ-ｓｙｎｃ）を、１０ｍｓ毎に、無線リンク失敗状態判定部１４に通知してもよい。ここで、上述の１０ｍｓは、あくまでも一例であり、１０ｍｓ以外の値であってもよい。
【００６８】
また、同期状態判定部１３は、上述の下りリンクの同期状態の判定結果（Ｉｎ-ｓｙｎｃ／Ｏｕｔ-ｏｆ-ｓｙｎｃ）を、無線リンクフレーム（Ｒａｄｉｏ  Ｌｉｎｋ  Ｆｒａｍｅ）毎に、無線リンク失敗状態判定部１４に通知してもよい。
【００６９】
或いは、同期状態判定部１３は、移動局ＵＥが非間欠受信状態である場合には、１０ｍｓ毎に下りリンクの同期状態の判定結果を無線リンク失敗状態判定部１４に通知し、移動局ＵＥが非間欠受信状態である場合には、ＤＲＸ周期毎に下りリンクの同期状態の判定結果を無線リンク失敗状態判定部１４に通知してもよい。
【００７０】
ここで、「ＤＲＸ周期毎に下りリンクの同期状態の判定結果を通知する」とは、例えば、「ＤＲＸ周期毎に存在するＯｎ-ｄｕｒａｔｉｏｎのタイミングで、下りリンクの同期状態の判定結果を通知する」という意味であってよい。
【００７１】
なお、同期状態判定部１３は、前記移動局ＵＥが間欠受信状態であるか否かについての情報は、状態管理部１１より取得する。
【００７２】
また、同期状態判定部１３は、上述した例において、サービングセルの無線品質として、リファレンス信号（Ｒｅｆｅｒｅｎｃｅ  Ｓｉｇｎａｌ）のＳＩＲを用いたが、代わりに、リファレンス信号の受信電力（Ｒｅｆｅｒｅｎｃｅ  Ｓｉｇｎａｌ  Ｒｅｃｅｉｖｅｄ  Ｐｏｗｅｒ（ＲＳＲＰ））やＲｅｆｅｒｅｎｃｅ  Ｓｉｇｎａｌ  Ｒｅｃｅｉｖｅｄ  Ｑｕａｌｉｔｙ（ＲＳＲＱ）、ＣＱＩを用いてもよい。
【００７３】
或いは、同期状態判定部１３は、リファレンス信号のＳＩＲの代わりに、ＰＤＣＣＨの誤り率や、ＰＣＦIＣＨの誤り率や、ＰＣＦＩＣＨにおけるＳＩＲや、ＰＤＳＣＨの誤り率や、ＤＬ  ＲＳのシンボル誤り率等を用いてもよい。
【００７４】
ＰＤＣＣＨの誤り率を用いる場合には、リソースエレメントあたりの送信電力やＰＤＣＣＨのフォーマット、アグリゲーションレベル等に関してして特定の値を仮定して、物理下りリンク制御チャネルの誤り率を算出してもよい。
【００７５】
ここで、アグリゲーションレベルとは、ＰＤＣＣＨの物理チャネルとしてのリソースエレメント数やシンボル数を決定するレベルである。
【００７６】
すなわち、アグリゲーションレベルを決定することにより、ＰＤＣＣＨの物理チャネルとしてのリソースエレメント数やシンボル数が決定される。
【００７７】
また、ＰＤＣＣＨのフォーマットは、ＤＣＩ  ｆｏｒｍａｔ  （Ｄｏｗｎｌｉｎｋ  Ｃｏｎｔｒｏｌ  Ｉｎｆｏｒｍａｔｉｏｎ  ｆｏｒｍａｔ）と呼ばれてもよい。
【００７８】
或いは、同期状態判定部１３は、サービングセルの無線品質として、リファレンス信号（Ｒｅｆｅｒｅｎｃｅ  Ｓｉｇｎａｌ）のＳＩＲや、リファレンス信号の受信電力や、ＲＳＲＱや、ＣＱＩや、ＰＤＣＣＨの誤り率や、ＰＣＦIＣＨの誤り率や、ＰＣＦＩＣＨのＳＩＲや、ＰＤＳＣＨの誤り率や、ＤＬ  ＲＳのシンボル誤り率の内の少なくとも１つを用いてもよい。
【００７９】
尚、ＲＳＲＱ（Ｒｅｆｅｒｅｎｃｅ  Ｓｉｇｎａｌ  Ｒｅｃｅｉｖｅｄ  ＱｕａｌｉｔｙＰｏｗｅｒ）とは、下りリンクの参照信号の受信電力を、下りリンクのＲＳＳＩ（Ｒｅｃｅｉｖｅｄ  Ｓｉｇｎａｌ  Ｓｔｒｅｎｇｔｈ  Ｉｎｄｉｃａｔｏｒ）で割った値である。ここで、ＲＳＳＩとは、移動局において観測されるトータルの受信レベルであり、熱雑音や他セルからの干渉電力や、自セルからの希望信号の電力等の全てを含んだ受信レベルのことである（ＲＳＲＱの定義については、３ＧＰＰ  ＴＳ３６.２１４、Ｖ８.３.０参照）。また、ＣＱＩ（Ｃｈａｎｎｅｌ  Ｑｕａｌｉｔｙ  Ｉｎｄｉｃａｔｏｒ）とは、下りリンクの無線品質情報である（ＣＱＩの定義については、３ＧＰＰ  ＴＳ３６.２１３、Ｖ８.３.０参照）。
【００８０】
無線リンク失敗状態判定部１４は、上述の同期状態判定部１３における下りリンクの同期状態の判定結果と、パラメータ取得部１２より指定される間欠受信状態用パラメータ及び非間欠受信状態用パラメータとに基づいて、無線リンク失敗状態であるか否かについて判定するように構成されている。
【００８１】
例えば、無線リンク失敗状態判定部１４は、同期状態判定部１３より、Ｎ３１３回連続して、Ｏｕｔ-ｏｆ-ｓｙｎｃが報告された場合に、タイマーを起動し、かかるタイマーが満了した場合に、無線リンク失敗状態であると判定してもよい。
【００８２】
より具体的には、無線リンク失敗状態判定部１４は、図４に示すように、時刻Ｔ＝Ａから時刻Ｔ＝Ｂまでの間に、同期状態判定部１３から、連続してＮ３１３回、下りリンクの同期状態として、Ｏｕｔ-ｏｆ-ｓｙｎｃを示す通知を受信する。
【００８３】
かかる場合、時刻Ｔ＝Ｂにおいて、無線リンク失敗状態判定部１４は、タイマーＴ３１３を起動する。そして、無線リンク失敗状態判定部１４は、タイマーＴ３１３が満了した場合に（時刻Ｔ＝Ｃ）、無線リンク失敗状態であると判定する。
【００８４】
ここで、図５に示すように、無線リンク失敗状態判定部１４は、タイマーＴ３１３を起動している状態において、同期状態判定部１３より、時刻Ｔ＝Ｃから時刻Ｔ＝Ｄまでの間に、連続してＮ３１５回、下りリンクの同期状態として、Ｉｎ-ｓｙｎｃという通知を受信する。
【００８５】
かかる場合、時刻Ｔ＝Ｄにおいて、無線リンク失敗状態判定部１４は、タイマーＴ３１３を停止する。この場合、タイマーＴ３１３が満了する前に停止されたため、無線リンク失敗状態判定部１４は、無線リンク失敗状態であるとは判定しない。
【００８６】
なお、上述した例において、Ｎ３１３やＮ３１５は、Ｏｕｔ-ｏｆ-ｓｙｎｃ又はＩｎ-ｓｙｎｃが連続して通知される回数に関する閾値であったが、代わりに、Ｏｕｔ-ｏｆ-ｓｙｎｃ又はＩｎ-ｓｙｎｃが連続して通知される時間に関する閾値であってもよい。
【００８７】
例えば、図６に示すように、時刻Ｔ＝ＡからＴ＝Ｂまでの時間（Ｂ−Ａ）が「Ｎ３１３」に相当し、「Ｎ３１３」で定義される時間の間、Ｏｕｔ-ｏｆ-ｓｙｎｃが連続して通知された場合に、すなわち、Ｏｕｔ-ｏｆ-ｓｙｎｃのみが通知された場合に、無線リンク失敗状態判定部１４は、時刻Ｔ＝Ｂにおいて、タイマーＴ３１３を起動するという処理を行ってもよい。
【００８８】
或いは、例えば、図６において、時刻Ｔ＝ＣからＴ＝Ｄまでの時間（Ｄ−Ｃ）が「Ｎ３１５」に相当し、「Ｎ３１５」で定義される時間の間、Ｉｎ-ｓｙｎｃが連続して通知された場合に、すなわち、Ｉｎ-ｓｙｎｃのみが通知された場合に、無線リンク失敗状態判定部１４は、時刻Ｔ＝Ｄにおいて、タイマーＴ３１３を停止するという処理を行ってもよい。
【００８９】
すなわち、上述した、Ｎ３１３やＮ３１５は、その単位として、同期状態判定部１３より同期状態を通知される回数であってもよいし、代わりに、同期状態判定部１３より同期状態を通知される時間であってもよい。
【００９０】
また、上述した例においては、無線リンク失敗状態であるか否かを判定するために、３つのパラメータ「Ｎ３１３」、「Ｔ３１３」、「Ｎ３１５」が定義されたが、代わりに、３つのパラメータ、「Ｎ３１３」、「Ｔ３１３」、「Ｎ３１５」の内の少なくとも１つが、無線リンク失敗状態であるか否かを判定するためのパラメータとして用いられてもよい。
【００９１】
また、上述したＮ３１３は、Ｎ３１０という名前であってもよい。また、上述したＴ３１３は、Ｔ３１０という名前であってもよい。また、上述したＮ３１５は、Ｎ３１１という名前であってもよい。
【００９２】
無線リンクフェイラー判定部１４は、無線リンク失敗状態であると判定した場合に、かかる判定結果を、再接続処理部１５に通知する。
【００９３】
なお、かかる間欠受信状態用パラメータ及び非間欠受信状態用パラメータには、上述のタイマーＴ３１３を起動するための連続するＯｕｔ-ｏｆ-ｓｙｎｃの数である「Ｎ３１３」や、上述の無線リンク失敗状態であることを判定するためのタイマー値である「Ｔ３１３」や、上述のタイマーを停止するための連続するＩｎ-ｓｙｎｃの数である「Ｎ３１５」等が含まれている。
【００９４】
ここで、図７に、間欠受信状態用パラメータ（「Ｎ３１３」や「Ｔ３１３」や「Ｎ３１５」）及び非間欠受信状態用パラメータ（「Ｎ３１３」や「Ｔ３１３」や「Ｎ３１５」）の一例を示す。
【００９５】
かかる例からも分かるように、本実施形態に係る移動通信システムでは、間欠受信状態用パラメータの値及び非間欠受信状態用パラメータの値が異なるように構成されている。
【００９６】
例えば、間欠受信状態用パラメータにおける第１パラメータの値（Ｎ３１３）は、非間欠受信状態用パラメータにおける第１パラメータの値（Ｎ３１３）よりも小さくなるように構成されていてもよい。
【００９７】
以下に、間欠受信状態用パラメータにおける第１パラメータの値（Ｎ３１３＝５）を、非間欠受信状態用パラメータにおける第１パラメータの値（Ｎ３１３＝２０）よりも小さくすることの効果を記載する。
【００９８】
間欠受信状態においては、非間欠受信状態に比べて、下りリンク同期状態を判定する判定頻度が少ないため、結果として、それぞれの判定と判定との間の間隔が大きくなる。
【００９９】
この場合、判定に要する時間をある程度適切な長さにするためには、間欠受信状態用パラメータにおける第１パラメータの値（Ｎ３１３＝５）は、非間欠受信状態用パラメータにおける第１パラメータの値（Ｎ３１３＝２０）よりも小さくする必要がある。
【０１００】
ここで、適切な長さとは、例えば、無線失敗状態であることを判定するために必要な反映時間であり、精度良く判定できるのであれば、できる限り短い値が望ましい。
【０１０１】
すなわち、上述したように、間欠受信状態用パラメータにおける第１パラメータの値（Ｎ３１３＝５）を、非間欠受信状態用パラメータにおける第１パラメータの値（Ｎ３１３＝２０）よりも小さくすることにより、間欠受信状態において、適切に無線失敗状態であることの判定を行うことが可能となる。
【０１０２】
なお、逆に、間欠受信状態用パラメータにおける第１パラメータの値（Ｎ３１３）は、非間欠受信状態用パラメータにおける第１パラメータの値（Ｎ３１３）よりも大きくなるように構成されていてもよい。
【０１０３】
例えば、間欠受信状態用パラメータにおける第１パラメータの値（Ｎ３１３）を１０とし、非間欠受信状態用パラメータにおける第１パラメータの値（Ｎ３１３）を２としてもよい。
【０１０４】
以下に、間欠受信状態用パラメータにおける第１パラメータの値（Ｎ３１３＝１０）を、非間欠受信状態用パラメータにおける第１パラメータの値（Ｎ３１３＝２）よりも大きくすることの効果を記載する。
【０１０５】
間欠受信状態においては、非間欠受信状態に比べて、下りリンク同期状態を判定する判定頻度が少ないため、サンプル数を大きくする必要がある。ここで、かかるサンプル数とは、例えば、正確に無線失敗状態であることを判定するために必要なサンプル数である。
【０１０６】
よって、上述したように、間欠受信状態用パラメータにおける第１パラメータの値（Ｎ３１３＝１０）を、非間欠受信状態用パラメータにおける第１パラメータの値（Ｎ３１３＝２）よりも大きくすることにより、間欠受信状態において、適切に無線失敗状態であることの判定を行うことが可能となる。
【０１０７】
同様に、間欠受信状態用パラメータにおける第２パラメータの値（Ｔ３１３＝３）を、非間欠受信状態用パラメータにおける第２パラメータの値（Ｔ３１３＝５）よりも小さくすることにより、間欠受信状態において、無線失敗状態であることの判定を行う時間を短くすることが可能となる。
【０１０８】
また、間欠受信状態用パラメータにおける第２パラメータの値（Ｔ３１３）を、非間欠受信状態用パラメータにおける第２パラメータの値（Ｔ３１３）よりも大きくすることにより、間欠受信状態において、適切に無線失敗状態であることの判定を行うことが可能となる。
【０１０９】
同様に、間欠受信状態用パラメータにおける第３パラメータの値（Ｎ３１５＝１）を、非間欠受信状態用パラメータにおける第３パラメータの値（Ｎ３１５＝２）よりも小さくすることにより、間欠受信状態において、無線失敗状態であるか否かの判定を行う時間を短くすることが可能となる。
【０１１０】
また、間欠受信状態用パラメータにおける第３パラメータの値（Ｎ３１５）を、非間欠受信状態用パラメータにおける第３パラメータの値（Ｎ３１５）よりも大きくすることにより、間欠受信状態において、適切に無線失敗状態であるか否かの判定を行うことが可能となる。
【０１１１】
すなわち、移動局ＵＥが、間欠受信状態である場合に、無線リンク失敗状態判定部１４は、同期状態判定部１３によって判定された下りリンクの同期状態、及び、パラメータ取得部１２によって取得された間欠受信状態用パラメータに基づいて、無線リンク失敗状態であるか否かについて判定するように構成されている。
【０１１２】
一方、移動局ＵＥが、間欠受信状態でない場合に、無線リンク失敗状態判定部１４は、同期状態判定部１３によって判定された下りリンクの同期状態、及び、パラメータ取得部１２によって取得された非間欠受信状態用パラメータに基づいて、無線リンク失敗状態であるか否かについて判定するように構成されている。
【０１１３】
再接続処理部１５は、無線リンク失敗状態判定部１４から、無線リンク失敗状態であるという判定結果を通知された場合に、再接続の処理を行う。また、再接続処理部１５は、前記再接続の処理を行う前に、移動局ＵＥと無線基地局ｅＮＢとの間の通信の設定（Ｃｏｎｆｉｇｕｒａｔｉｏｎ）をクリアしてもよい。
【０１１４】
なお、再接続の処理とは、例えば、「Ｃｅｌl  Ｕｐｄａｔｅ処理」と呼ばれてもよい。また、「Ｃｅｌl  Ｕｐｄａｔｅ処理」とは、例えば、セルサーチ、サーチしたセルの無線品質のメジャメント等を行い、通信可能なセルが存在する場合に、当該セルに対して接続の構築を再度行うことを指す。なお、「Ｃｅｌl  Ｕｐｄａｔｅ処理」は、「Ｃｏｎｎｅｃｔｉｏｎ  Ｒｅ-ｅｓｔａｂｌｉｓｈｍｅｎｔ処理」と呼ばれてもよい。
【０１１５】
また、移動局は、進行中の処理が存在しない場合や、或いは、進行中の処理の中で、無線リンク失敗状態時の動作が規定されていない場合に、上述の再接続の処理を行ってもよい。この場合、進行中の処理が存在し、かつ、進行中の処理の中で、無線リンク失敗状態時の動作が規定されている場合には、前記進行中の処理の中の無線リンク失敗状態時の動作を行ってもよい。
【０１１６】
図８に示すように、無線基地局ｅＮＢは、パラメータ通知部２１と、再接続処理部２２とを具備している。
【０１１７】
パラメータ通知部２１は、移動局ＵＥに対して、上述の間欠受信状態用パラメータ及び非間欠受信状態用パラメータを通知するように構成されている。
【０１１８】
具体的には、パラメータ通知部２１は、物理下り共有チャネルＰＤＳＣＨを介して、移動局ＵＥに対して、上述の間欠受信状態用パラメータ及び非間欠受信状態用パラメータを通知するように構成されている。
【０１１９】
なお、上述の間欠受信状態用パラメータ及び非間欠受信状態用パラメータは、報知情報の一部として移動局ＵＥに対して通知されてもよいし、個別の制御信号、ＲＲＣ  Ｍｅｓｓａｇｅ内の情報の一部として、移動局ＵＥに対して通知されてもよい。
【０１２０】
再接続処理部２２は、移動局ＵＥが、上述した再接続の処理を行い、再接続のためのＳｉｇｎａｌｉｎｇを通知してきた場合に、再接続の処理を行う。すなわち、移動局ＵＥとのコネクション（接続）を再構築するための処理を行う。
【０１２１】
（本発明の第１の実施形態に係る移動通信システムの動作）
図９を参照して、本発明の第１の実施形態に係る移動通信システムの動作について説明する。
【０１２２】
ステップＳ２０１において、移動局ＵＥは、間欠受信状態（ＤＲＸ状態）であるか否かについて判定する。間欠受信状態（ＤＲＸ状態）でない場合、本動作は、ステップＳ２０２に進み、間欠受信状態（ＤＲＸ状態）である場合、本動作は、ステップＳ２０７に進む。
【０１２３】
ステップＳ２０２において、移動局ＵＥは、物理レイヤより連続してＮ３１３Ｎｏｎ  ＤＲＸ（非間欠受信状態用パラメータにおける第１パラメータ）回の「Ｏｕｔ-ｏｆ-ｓｙｎｃ」、すなわち、「同期状態：ＮＧ」の報告を受信した場合（Ｓ２０２：ＹＥＳ）、タイマーＴ３１３Ｎｏｎ  ＤＲＸを起動する（Ｓ２０３）。なお、ステップＳ２０２及びＳ２０４は、タイマーＴ３１３Ｎｏｎ  ＤＲＸ（非間欠受信状態用パラメータにおける第２パラメータ）が起動していない場合にのみ行われてもよい。
【０１２４】
一方、ステップＳ２０４において、移動局ＵＥは、物理レイヤより連続してＮ３１５Ｎｏｎ  ＤＲＸ（非間欠受信状態用パラメータにおける第３パラメータ）回の「Ｉｎ-ｓｙｎｃ」、すなわち、「同期状態：ＯＫ」の報告を受信した場合（Ｓ２０４：ＹＥＳ）、タイマーＴ３１３Ｎｏｎ  ＤＲＸを停止する（Ｓ２０５）。なお、ステップＳ２０４及びＳ２０５は、タイマーＴ３１３Ｎｏｎ  ＤＲＸが起動している場合にのみ行われてもよい。
【０１２５】
そして、Ｔ３１３Ｎｏｎ  ＤＲＸが満了した場合（ステップＳ２０６：ＹＥＳ）、本動作は、ステップＳ２１２に進む。なお、Ｔ３１３Ｎｏｎ  ＤＲＸが満了しない場合（ステップＳ２０６：ＮＯ）、本動作は、ステップＳ２０１に戻る。なお、ステップＳ２０６は、Ｔ３１３Ｎｏｎ  ＤＲＸが起動している場合及びＴ３１３Ｎｏｎ  ＤＲＸが起動していない場合の両方で行われてもよい。
【０１２６】
一方、ステップＳ２０７において、移動局ＵＥは、物理レイヤより連続してＮ３１３ＤＲＸ（間欠受信状態用パラメータにおける第１パラメータ）回の「Ｏｕｔ-ｏｆ-ｓｙｎｃ」、すなわち、「同期状態：ＮＧ」の報告を受信した場合（Ｓ２０７：ＹＥＳ）、タイマーＴ３１３ＤＲＸを起動する（Ｓ２０８）。なお、ステップＳ２０７及びＳ２０８は、タイマーＴ３１３ＤＲＸ（間欠受信状態用パラメータにおける第２パラメータ）が起動していない場合にのみ行われてもよい。
【０１２７】
一方、ステップＳ２０９において、移動局ＵＥは、物理レイヤより連続してＮ３１５ＤＲＸ（間欠受信状態用パラメータにおける第３パラメータ）回の「Ｉｎ-ｓｙｎｃ」、すなわち、「同期状態：ＯＫ」の報告を受信した場合（Ｓ２０９：ＹＥＳ）、タイマーＴ３１３ＤＲＸを停止する（Ｓ２１０）。なお、ステップＳ２０９及びＳ２１０は、タイマーＴ３１３ＤＲＸが起動している場合にのみ行われてもよい。
【０１２８】
そして、Ｔ３１３ＤＲＸが満了した場合（ステップＳ２１１：ＹＥＳ）、本動作は、ステップＳ２１２に進む。なお、Ｔ３１３ＤＲＸが満了しない場合（ステップＳ２１１：ＮＯ）、本動作は、ステップＳ２０１に戻る。なお、ステップＳ２１１は、Ｔ３１３ＤＲＸが起動している場合及びＴ３１３ＤＲＸが起動していない場合の両方で行われてもよい。
【０１２９】
ステップＳ２１２において、移動局ＵＥは、無線基地局ｅＮＢと移動局ＵＥとの間の通信状態が無線リンク失敗状態であると看做す。
【０１３０】
ステップＳ２１３において、移動局ＵＥは、無線基地局ｅＮＢとの間の通信の設定（Ｃｏｎｆｉｇｕｒａｔｉｏｎ）をクリアする。
【０１３１】
ステップＳ２１４において、移動局ＵＥは、再接続の処理を行う。
【０１３２】
（本発明の第１の実施形態に係る移動通信システムの作用・効果）
本発明の第１の実施形態に係る移動通信システムによれば、ＤＲＸ状態であるか否かに応じて、間欠受信状態用パラメータ及び非間欠受信状態用パラメータの値を変更することができるため、移動局ＵＥが、適切なタイミングで、かつ、適切な正確性で無線リンク失敗状態であることを判定することができ、通信品質の安定や、通信の再構築の迅速性、更にはユーザ利便性を向上することができる。
【０１３３】
（変更例１）
本発明の変更例１では、図１０及び図１１に示すように、上述した例（図４及び図５）において、「Ｎ３１３＝１」及び「Ｎ３１５＝１」とされている。
【０１３４】
ここで、間欠受信状態用パラメータにおける第２パラメータ「Ｔ３１３」と非間欠受信状態用パラメータにおける第２パラメータ「Ｔ３１３」とを同一としてもよいし、間欠受信状態用パラメータにおける第２パラメータ「Ｔ３１３」と非間欠受信状態用パラメータにおける第２パラメータ「Ｔ３１３」とを別々としてもよい。
【０１３５】
前者によれば、「Ｎ３１３」及び「Ｎ３１５」がないため、よりシンプルな構造になっており、時間で制御するため、間欠受信状態と非間欠受信状態とで、無線リンク失敗状態であることを判定するための時間が同じであると考える場合、適切に制御が可能である。
【０１３６】
後者によれば、「Ｎ３１３」及び「Ｎ３１５」がないため、よりシンプルな構造になっており、「間欠受信状態の場合、通信すべきデータがないため、多少時間がかかっても、正確に無線リンク失敗状態であることを判定するべきであり、非間欠受信状態の場合、通信すべきデータがあるため、多少精度が悪くても、早めに無線リンク失敗状態であることを判定し、再接続の処理を行うべきである」という考え方に基づいて、「Ｔ３１３」に関しても、間欠受信状態と非間欠受信状態とで別々に値を設定することができる。
【０１３７】
（変更例２）
本発明の変更例２では、図１２及び図１３に示すように、上述した例（図４及び図５）において、「Ｎ３１３＝１」とされている。
【０１３８】
ここで、本変更例２では、「Ｎ３１５」が、回数ではなく、時間によって規定されている。
【０１３９】
ここで、間欠受信状態用パラメータにおける第１及び第２パラメータ「Ｔ３１３」及び「Ｎ３１５」と非間欠受信状態用パラメータにおける第１及び第２パラメータ「Ｔ３１３」及び「Ｎ３１５」とを同一としてもよいし、間欠受信状態用パラメータにおける第１及び第２パラメータ「Ｔ３１３」及び「Ｎ３１５」と非間欠受信状態用パラメータにおける第１及び第２パラメータ「Ｔ３１３」及び「Ｎ３１５」とを別々としてもよい。
【０１４０】
前者によれば、「Ｎ３１３」がないため、よりシンプルな構造になっており、時間で制御するため、間欠受信状態と非間欠受信状態とで、無線リンク失敗状態であることを判定するための時間が同じであると考える場合、適切に制御が可能である。
【０１４１】
後者によれば、「Ｎ３１３」がないため、よりシンプルな構造になっており、「間欠受信状態の場合、通信すべきデータがないため、多少時間がかかっても、正確に無線リンク失敗状態であることを判定するべきであり、非間欠受信状態の場合、通信すべきデータがあるため、多少精度が悪くても、早めに無線リンク失敗状態であることを判定し、再接続の処理を行うべきである」という考え方に基づいて、「Ｔ３１３」及び「Ｎ３１５」に関しても、間欠受信状態と非間欠受信状態とで別々に値を設定することができる。
【０１４２】
（変更例３）
なお、上述の変更例２において、「Ｎ３１５」は、回数ではなく、時間によって規定されていたが、本変更例３では、「Ｎ３１５」は、その代わりに、回数によって規定されていてもよい。
【０１４３】
なお、上述した、第１の実施形態においては、間欠受信状態と非間欠受信状態の２種類の状態が存在したが、代わりに、長間欠受信状態と短間欠受信状態と非間欠受信状態との３種類の状態が存在する場合にも、本発明に係る移動局、無線基地局及び移動通信方法は適用されることができる。
【０１４４】
例えば、長間欠受信状態と短間欠受信状態と非間欠受信状態との３種類の状態が存在する場合には、上述の第１パラメータ及び第２パラメータとして、長間欠受信状態用パラメータと、短間欠受信状態用パラメータと、非間欠受信状態用パラメータとの３種類が定義され、それぞれの状態において、それぞれのパラメータが適用されてもよい。
【０１４５】
或いは、長間欠受信状態と短間欠受信状態と非間欠受信状態との３種類の状態が存在する場合に、間欠受信状態用パラメータ及び非間欠受信状態用パラメータの２種類が定義され、長間欠受信状態及び短間欠受信状態においては、間欠受信状態用パラメータが適用され、非間欠受信状態においては、非間欠受信用パラメータが適用されてもよい。
【０１４６】
或いは、長間欠受信状態と短間欠受信状態と非間欠受信状態との３種類の状態が存在する場合に、長間欠受信状態用パラメータ及び非長間欠受信状態用パラメータの２種類が定義され、長間欠受信状態においては、長間欠受信状態用パラメータが適用され、短間欠受信状態及び非間欠受信状態においては、非長間欠受信用パラメータが適用されてもよい。
【０１４７】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【０１４８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１４９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【０１５０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
0005406841.tif 000002
【図２】
0005406841.tif 000003
【図３】
0005406841.tif 000004
【図４】
0005406841.tif 000005
【図５】
0005406841.tif 000006
【図６】
0005406841.tif 000007
【図７】
0005406841.tif 000008
【図８】
0005406841.tif 000009
【図９】
0005406841.tif 000010
【図１０】
0005406841.tif 000011
【図１１】
0005406841.tif 000012
【図１２】
0005406841.tif 000013
【図１３】
0005406841.tif 000014
【図１４】
0005406841.tif 000015
【図１５】
0005406841.tif 000016